(57)【要約】【課題】ゴミ箱の大型化を招くことなく極めて容易かつ低コストに実施できるようにするとともに、圧縮操作等の別途の操作を不要にし、また、耐久性及びメンテナンス性を高める。【解決手段】ゴミ箱Ｂに投入されたゴミＤ…を圧縮するゴミ箱用ゴミ圧縮器１を構成するに際して、ゴミ箱Ｂのゴミ投入口Ｂｏの内側に配し、かつゴミ投入口Ｂｏに沿った枠形形状に形成することにより、ゴミ箱Ｂに投入されたゴミＤ…の戻りを阻止する規制フレーム２を備える。この場合、規制フレーム２は、所定の幅寸法を有するプレート材２１により枠形形状に形成し、かつ下側が漸次内側に窄む形状に形成する。【選択図】図１
2004352389.tif 000002
【特許請求の範囲】
【請求項１】
ゴミ箱に投入されたゴミを圧縮するゴミ箱用ゴミ圧縮器において、ゴミ箱のゴミ投入口の内側に配し、かつ前記ゴミ投入口に沿った枠形形状に形成することにより、ゴミ箱に投入されたゴミの戻りを阻止する規制フレームを備えることを特徴とするゴミ箱用ゴミ圧縮器。
【請求項２】
前記規制フレームは、所定の幅寸法を有するプレート材により枠形形状に形成し、かつ下側が漸次内側に窄む形状に形成することを特徴とする請求項１記載のゴミ箱用ゴミ圧縮器。
【請求項３】
前記規制フレームは、前記ゴミ投入口の縁部に掛止する掛止部により前記ゴミ箱に対して着脱可能に構成することを特徴とする請求項１又は２記載のゴミ箱用ゴミ圧縮器。
【請求項４】
前記規制フレームは、一端をヒンジ部を介して前記ゴミ箱の一端に回動可能に結合することを特徴とする請求項１又は２記載のゴミ箱用ゴミ圧縮器。
【発明の詳細な説明】
【０００１】
【発明の属する技術分野】
本発明は、ゴミ箱に投入されるゴミを圧縮する簡易型のゴミ箱用ゴミ圧縮器に関する。
【０００２】
【従来の技術】
一般に、高速道路や公園等の各種施設にはゴミ箱が設置されている。ところで、この種のゴミ箱に投入されるゴミは、紙類や袋類等の比較的かさ張るゴミも多いため、容積の小さいゴミ箱では直ぐに一杯になってしまう。ゴミ箱が一杯になった場合には、利用者にとっての利便性が損なわれるのみならず、管理者にとっても回収頻度が増えるなどの不具合を招くとともに、回収が速やかに行われない場合には、ゴミ箱に入り切れないゴミが周囲に散乱するなど、環境面での悪影響も生じることから、この種のゴミ箱には、できるだけ大量のゴミが収容されることが望ましい。
【０００３】
このため、従来では、ゴミの圧縮機構を設けたゴミ箱も、例えば、特開２０００−２７２７０２号公報，特開２００１−１８７６０１号公報，特開２００２−３７４０２号公報等で知られている。これらの公報に開示されるゴミ箱は、ゴミ箱に収容されたゴミを上から圧縮する圧縮板等の圧縮部材と、この圧縮部材を昇降させるリンク機構等の昇降手段と、この昇降手段を操作する操作レバーや足踏ペダル等の操作手段等を有する圧縮機構を備えており、この圧縮機構によってゴミ箱に収容されたゴミを圧縮するものである。
【特許文献１】
特開２０００−２７２７０２号公報
【特許文献２】
特開２００１−１８７６０１号公報
【特許文献３】
特開２００２−３７４０２号公報
【０００４】
【発明が解決しようとする課題】
しかし、上述したゴミの圧縮機構を備える従来のゴミ箱は、次のような問題点があった。
【０００５】
第一に、部品点数が多くなり、かつ構造も複雑化するため、大幅なコストアップを招くとともに、ゴミ箱全体の大型化を招く。
【０００６】
第二に、操作レバー等を用いて別途の圧縮操作を行う必要があり、圧縮操作を行わなければ、通常のゴミ箱と変わらなくなる。このため、ゴミの回収回数は低減できるものの管理者の見回りによる圧縮作業が強いられるなど、上記問題の抜本的な解決には至らない。
【０００７】
第三に、風雨等の厳しい環境に晒されるため、動きの不具合や故障が生じやすく、メンテナンス性及び耐久性にも劣る。
【０００８】
本発明は、このような従来の技術に存在する課題を解決したものであり、ゴミ箱の大型化を招くことなく極めて容易かつ低コストに実施できるとともに、圧縮操作等の別途の操作を不要にし、しかも耐久性及びメンテナンス性を高めることができるゴミ箱用ゴミ圧縮器の提供を目的とする。
【０００９】
【課題を解決するための手段及び実施の形態】
本発明は、ゴミ箱Ｂに投入されたゴミＤ…を圧縮するゴミ箱用ゴミ圧縮器１を構成するに際して、ゴミ箱Ｂのゴミ投入口Ｂｏの内側に配し、かつゴミ投入口Ｂｏに沿った枠形形状に形成することにより、ゴミ箱Ｂに投入されたゴミＤ…の戻りを阻止する規制フレーム２を備えることを特徴とする。
【００１０】
この場合、好適な実施の形態により、規制フレーム２は、所定の幅寸法を有するプレート材２１により枠形形状に形成し、かつ下側が漸次内側に窄む形状に形成することができる。なお、この規制フレーム２は、ゴミ投入口Ｂｏの縁部Ｂｏｓに掛止する掛止部３ｘ，３ｙによりゴミ箱Ｂに対して着脱可能に構成してもよいし、或いは一端をヒンジ部４を介してゴミ箱Ｂの一端に回動可能に結合してもよい。
【００１１】
【実施例】
次に、本発明に係る好適な実施例を挙げ、図面に基づき詳細に説明する。
【００１２】
まず、本実施例に係るゴミ箱用ゴミ圧縮器１の構成について、図１〜図３を参照して説明する。
【００１３】
ゴミ圧縮器１は、図１及び図２に示すように、ゴミ箱Ｂにおけるゴミ投入口Ｂｏの内側に配し、かつゴミ投入口Ｂｏに沿った枠形形状に形成することにより、ゴミ箱Ｂに投入されたゴミＤ…の戻りを阻止する規制フレーム２を備える。この規制フレーム２は、所定の幅寸法を有するプレート材２１により枠形形状に形成し、かつ下側が漸次内側に窄む形状に形成する。実施例の規制フレーム２は、プレート材２１として、一定の厚さを有するステンレス板を使用するとともに、このステンレス板により、横長の台形に形成した四枚のフレームメンバ２ａ，２ｂ，２ｃ．２ｄを形成し、各フレームメンバ２ａ，２ｂ，２ｃ．２ｄの短辺同士を溶接等により結合して構成した。これにより、図２に示す平面視が長方形となる規制フレーム２が得られる。このように、規制フレーム２の下側を、漸次内側に窄む形状に形成することにより、ゴミ投入口Ｂｏの実質的な開口面積を狭めることなく、ゴミＤ…の戻りを有効に阻止することができる。
【００１４】
この場合、規制フレーム２の大きさ及び形状は、装着するゴミ箱Ｂのゴミ投入口Ｂｏの大きさ及び形状に対応して選定する。なお、規制フレーム２の高さ方向の寸法は、概ね５０〔ｍｍ〕前後、各フレームメンバ２ａ，２ｂ，２ｃ．２ｄの傾斜角度は、概ね４５〔°〕前後に選定することが望ましい。
【００１５】
さらに、規制フレーム２には、ゴミ投入口Ｂｏの縁部Ｂｏｓに掛止する左右一対の掛止部３ｘ，３ｙを設ける。具体的には、規制フレーム２と同一素材を用いた一対のプレート片２２ｘ，２２ｙを用意し、このプレート片２２ｘ，２２ｙを、規制フレーム２における相対向する短辺同士である一対のフレームメンバ２ａ，２ｃの各中間位置にそれぞれ溶接等により取付ける。これにより、各フレームメンバ２ａ，２ｃの上端辺付近から水平方向両側に突出する掛止部３ｘ，３ｙを設けることができる。なお、掛止部３ｘ，３ｙは、手で持つことができる取手を兼用する。また、掛止部３ｘ，３ｙの大きさ及び形状は、ゴミ投入口Ｂｏの縁部Ｂｏｓに設けられた凹状の係合部Ｂｏｘ，Ｂｏｙの大きさ及び形状に対応して選定する。この係合部Ｂｏｘ，Ｂｏｙは、既設のものをそのまま利用してもよいし、切欠くなどにより後発的に設けてもよい。
【００１６】
以上の構成によりゴミ圧縮器１が得られる。このように、本実施例に係るゴミ圧縮器１は、基本的に必要な部品は、規制フレーム２と一対の掛止部３ｘ，３ｙとなり、極めて少ない部品点数と簡易な構成により、容易かつ低コストに実施できるとともに、ゴミ箱Ｂ全体の大型化を回避することができる。また、機構的及び動的な部分が存在しないため、風雨等の厳しい環境に晒されても、動きの不具合や故障を生じる虞れがなく、耐久性を高めることができるとともに、メンテナンスフリーを実現できる。
【００１７】
次に、本実施例に係るゴミ箱用ゴミ圧縮器１の使用方法及び機能について、図１〜図３を参照して説明する。
【００１８】
図中、Ｂは、本実施例に係るゴミ圧縮器１を装着するゴミ箱を示す。ゴミ箱Ｂの形態は特に問わないが、実施例のゴミ箱Ｂは、合成樹脂等により上端が開放された直方体状に形成されている。したがって、上端開口がゴミ投入口Ｂｏとなる。また、このゴミ投入口Ｂｏには、断面が逆Ｕ字形となる縁部Ｂｏｓが当該ゴミ投入口Ｂｏに沿って連続形成されているとともに、この縁部Ｂｏｓにおける対向する一対の短辺には、前述した凹状の係合部Ｂｏｘ，Ｂｏｙが形成される。
【００１９】
一方、このゴミ箱Ｂに、本実施例に係るゴミ圧縮器１を装着する際には、まず、ゴミ袋Ｆを用意し、ゴミ箱Ｂの中に入れる。そして、図３に示すように、袋口側をゴミ圧縮器１の下から内側を通して上に出し、ゴミ圧縮器１を包むように折り返す。この後、図１に示すように、ゴミ圧縮器１の各掛止部３ｘ，３ｙを、ゴミ投入口Ｂｏの縁部Ｂｏｓに形成される係合部Ｂｏｘ，Ｂｏｙにそれぞれ載せて掛止させるとともに、この際、折り返したゴミ袋Ｆの袋口側を、掛止部３ｘ，３ｙと係合部Ｂｏｘ，Ｂｏｙ間に挟み込んで固定する。このように、ゴミ圧縮器１は、ゴミ箱Ｂに対して矢印Ａ方向から容易に着脱させることができる。このような着脱形態を採用すれば、他のゴミ箱に移し替えて使用できるなど、汎用性を高めることができるとともに、更なる低コスト性向上に寄与できる。
【００２０】
他方、ゴミ圧縮器１を装着したゴミ箱Ｂを利用する際には、通常のゴミ箱Ｂと同様の使い勝手で利用することができる。即ち、実質的なゴミ投入口Ｂｏがゴミ圧縮器１の存在により若干狭くなるものの、ゴミＤ…は、上方からゴミ圧縮器１の内方の空間を通してそのままゴミ箱Ｂ内に投入することができる。また、ゴミＤ…の投入により、ゴミ箱Ｂ内のゴミＤ…の量が、図１に示すように増加した場合、利用者は、ゴミＤをゴミ箱Ｂ内に投入する際に、押し込むようにして投入すればよい。これにより、ゴミＤ…（投入時のゴミＤ以外のゴミＤ…を含む）は規制フレーム２の下辺部２ｓにより規制され、ゴミＤ…の言わば後戻りが阻止される。さらに、この際には、同時に、ゴミＤ…自身も圧縮されることになり、いわば簡易型のゴミ圧縮機構として機能する。特に、ゴミＤ…の圧縮は、ゴミＤ…を押し込むのみで行われるため、圧縮操作等の別途の操作は不要となる。なお、ゴミＤ…（ゴミ袋Ｆ）の取出しは、ゴミ圧縮器１を持ち上げ、ゴミ箱Ｂから離脱させることにより、容易に行うことができる。
【００２１】
次に、本発明の変更実施例に係るゴミ箱用ゴミ圧縮器１について、図４〜図６を参照して説明する。
【００２２】
図１〜図３に示した実施例のゴミ圧縮器１は、着脱形態により実施する場合を示したが、図４に示す変更実施例は、ゴミ圧縮器１の一端をヒンジ部４を介してゴミ箱Ｂの一端に回動可能に結合した、言わば開閉形態により実施する場合を示す。具体的には、一方の掛止部３ｘの突出幅を短くし、この掛止部３ｘの先端と別途用意した取付板３１を丁番等を用いたヒンジ部４を介して連結するとともに、この取付板３１をボルト・ナット３２を用いて凹状の係合部Ｂｏｘに固定すればよい。これにより、ゴミ袋Ｆをセットする際やゴミＤ…（ゴミ袋Ｆ）を取出す際には、図４に仮想線で示すゴミ圧縮器１ｓのように、ヒンジ部４を支点に回動させ、ゴミ投入口Ｂｏを開放すればよい。なお、その他の構成は、図１〜図３に示したゴミ圧縮器１と同じになる。
【００２３】
一方、図５及び図６は、平面形状を変更にしたゴミ圧縮器１を示す。図１〜図３に示した実施例のゴミ圧縮器１は、平面形状を長方形に形成した場合を示したが、図５及び図６に示す変更実施例は、平面形状を円形（丸形）に形成した場合を示す。また、掛止部３ｘ，３ｙに対応する部分は、円形をなす規制フレーム２の全外周に沿ってリング状に一体形成した掛止部３を採用した。さらに、図１〜図３に示したゴミ箱Ｂは、掛止部３ｘ，３ｙを掛止する手段として凹状の係合部Ｂｏｘ，Ｂｏｙを利用したが、図５及び図６に示す変更実施例は、一対の支持棒４１ｘ，４１ｙを用意し、この支持棒４１ｘ，４１ｙをゴミ箱Ｂの周面に貫通させ、かつ固定することにより係合部Ｂｏｘ，Ｂｏｙを構成した。これにより、掛止部３を支持棒４１ｘ，４１ｙ（係合部Ｂｏｘ，Ｂｏｙ）上に架け渡すことができる。このような支持棒４１ｘ，４１ｙは、前述した図１〜図３に示したゴミ箱Ｂにも同様に取付けることができる。なお、その他、基本的な構成は、図１〜図３に示したゴミ圧縮器１と同様に構成することができる。
【００２４】
以上、実施例について詳細に説明したが、本発明はこのような実施例に限定されるものではなく、細部の構成，形状，素材，数値等において、本発明の要旨を逸脱しない範囲で任意に変更，追加，削除することができる。例えば、規制フレームは、下側が漸次内側に窄む形状に形成したが、必ずしも窄む形状に形成することを要しない。
【００２５】
【発明の効果】
このように、本発明に係るゴミ箱用ゴミ圧縮器は、ゴミ箱のゴミ投入口の内側に配し、かつゴミ投入口に沿った枠形形状に形成することにより、ゴミ箱に投入されたゴミの戻りを阻止する規制フレームを備えるため、次のような顕著な効果を奏する。
【００２６】
（１）  基本的に必要な部品は、規制フレームを備えれば足りるため、極めて少ない部品点数と簡易な構成により、容易かつ低コストに実施できるとともに、ゴミ箱全体の大型化を回避することができる。
【００２７】
（２）  機構的及び動的な部分が存在しないため、風雨等の厳しい環境に晒されても、動きの不具合や故障を生じる虞れがなく、耐久性を高めることができるとともに、メンテナンスフリーを実現できるなど、メンテナンス性を高めることができる。
【００２８】
（３）  好適な実施の形態により、規制フレームを、所定の幅寸法を有するプレート材により枠形形状に形成し、かつ下側が漸次内側に窄む形状に形成すれば、ゴミ投入口の実質的な開口面積を狭めることなく、ゴミの戻りを有効に阻止することができる。
【００２９】
（３）  好適な実施の形態により、規制フレームを、ゴミ投入口の縁部に掛止する掛止部によりゴミ箱に対して着脱可能に構成すれば、他のゴミ箱に移し替えて使用できるなど、汎用性を高めることができるとともに、更なる低コスト性向上に寄与できる。
【図面の簡単な説明】
【図１】本発明の好適な実施例に係るゴミ圧縮器をゴミ箱に装着した状態を示す断面正面図、
【図２】同ゴミ圧縮器の平面図、
【図３】同ゴミ圧縮器をゴミ箱から離脱した状態を示す断面正面図、
【図４】本発明の変更実施例に係るゴミ圧縮器を備えるゴミ箱の断面正面図、
【図５】本発明の他の変更実施例に係るゴミ圧縮器の平面図、
【図６】同ゴミ圧縮器を装着するゴミ箱の断面正面図、
【符号の説明】
１      ゴミ圧縮器
２      規制フレーム
３ｘ    掛止部
３ｙ    掛止部
４      ヒンジ部
２１    プレート材
Ｂ      ゴミ箱
Ｄ…    ゴミ
Ｂｏ    ゴミ投入口
Ｂｏｓ  ゴミ投入口の縁部
【図１】
2004352389.tif 000003
【図２】
2004352389.tif 000004
【図３】
2004352389.tif 000005
【図４】
2004352389.tif 000006
【図５】
2004352389.tif 000007
【図６】
2004352389.tif 000008